(57)【要約】      （修正有）【課題】お風呂のお湯を利用して蓄熱し、低温火傷の危険性を回避する湯たんぽパックを提供する。【解決手段】袋状態の袋材の二面を略対峙させるように蓄熱材を封入し、蓄熱容器とし、袋材の二面に中央部付近を溶着した溶着部又は仕切部を設ける。蓄熱容器に気や浮き材を入れる浮き袋部を設ける。【選択図】図５
0003170844.tif 000002
【実用新案登録請求の範囲】
【請求項１】
蓄熱材を袋状体の内部に封入した湯たんぽで、
袋状体の袋材の二面を略対峙させる様に蓄熱材を封入し蓄熱容器とし、
蓄熱容器の袋材の略対峙する二面に少なくとも中央部付近に複数箇所の溶着した溶着部を設けたこと
を特徴とする湯たんぽパック。
【請求項２】
蓄熱材を袋状体の内部に封入した湯たんぽで、
袋状体の袋材の二面を略対峙させる様に蓄熱材を封入し蓄熱容器とし、
蓄熱容器の袋材の略対峙する二面に複数の溶着による蓄熱材の仕切を設け仕切部としたこと
を特徴とする湯たんぽパック。  
【請求項３】
蓄熱材を袋状体の内部に封入した湯たんぽで、
蓄熱容器に浴槽に浮かべる為の空気や浮き材を入れた浮き袋部、または、蓄熱容器に浴槽に浮かべる為の空気を出し入れ出来る浮き袋部を設けたこと
を特徴とする湯たんぽパック。
【請求項４】
請求項１から２の何れか一項に記載の湯たんぽパックにおいて、
蓄熱容器に浴槽に浮かべる為の空気や浮き材を入れた浮き袋部、または、蓄熱容器に浴槽に浮かべる為の空気を出し入れ出来る浮き袋部を設けたこと
を特徴とする湯たんぽパック。  
【請求項５】
請求項１から４の何れか一項に記載の湯たんぽパックにおいて、
蓄熱容器の外周付近に持ち運びやすい把手部を設けたこと
を特徴とする湯たんぽパック。
【請求項６】
請求項１から５の何れか一項に記載の湯たんぽパックにおいて、
蓄熱容器の外周付近に、浴槽内に吊したりするための吊り穴を設けたこと  
を特徴とする湯たんぽパック。
【請求項７】
請求項１から６の何れか一項に記載の湯たんぽパックにおいて、
蓄熱材に指標温度で色の変化する温度指標材料を混入、又は蓄熱容器に温度指標材料を貼り付け塗布したこと
を特徴とする湯たんぽパック。
【請求項８】
請求項１から７の何れか一項に記載の湯たんぽパックにおいて、
蓄熱材に微細な発泡粒子を混入し、蓄熱材の硬化を和らげると共に、浴槽に浮きやすくしたこと
を特徴とする湯たんぽパック。
【請求項９】
請求項１から８の何れか一項に記載の湯たんぽパックにおいて、
磁性体や、遠赤外線放射物質や、イオン発生物質を蓄熱材に混入、または、袋状体に、貼り付け、または、塗布したこと  
を特徴とする湯たんぽパック。
【考案の詳細な説明】
【技術分野】
【０００１】
本考案は、袋状体に蓄熱材等封入した、湯たんぽに関する。
【背景技術】
【０００２】
従来から、身体を暖めるために身体周辺に触れて暖をとる暖房器具として湯たんぽ（湯湯婆）がある。湯たんぽは容器に湯を注ぎ栓をし、触れて暖をとる。布団などに入れ主に足を暖める、椅子の背もたれや足先において、足や腰をあたためるものがある。容器材質は陶器、金属、プラスチック製がある。温度調節が効かないため、使用時に布を巻かないと火傷することや、しっかりと確実に締めないと、使用中にキャップが緩み足に火傷を負うことがある。また、適温は摂氏40〜50度とされているが、高めの温度使用で低温火傷（以後低温熱傷と記す）となることがある。また、小豆、そばや、ゲル化剤、天然石等を封入し、電子レンジで暖め、肩や足を暖めるものがある。
【０００３】
これらの暖房器具は、本体を暖めた後徐々に冷えるため、一定温度を保つ電気器具に対し身体に負担が掛かりにくい。
従来からの湯たんぽは、お湯を沸かして、お湯を注ぐ行為が面倒であったが、プラスチック容器タイプは、電子レンジで暖める等でより便利になった、しかし、一方で、キャップをしたまま暖めるケースや、熱いままで長時間使用してしまい低温火傷をする等の問題が発生している。お湯は徐々に冷えるため、高めの温度のお湯を注ぎ込みがちなのが人情であり、事故の要因ともなっている。
【０００４】
特許文献１には、「電子レンジで安全に加熱可能な蓄熱材１を、耐熱性樹脂からなる容器２封入し、さらに容器２を袋３に収納しており、使用に際しては、袋３に収納した容器２を家庭用の電子レンジに入れ数分程度加熱する。」とあるが、電子レンジでの蓄熱材の加熱は危険性が伴う。
【０００５】
さらに、特許文献２では、「水密性の容器又は袋に封入された平板状の潜熱蓄熱材を暖房具として用いる。潜熱蓄熱材は黒色の袋で被われる。集熱時には、潜熱蓄熱材は集熱ケースに収められて陽光に曝される。陽光は潜熱蓄熱材の黒色の袋に直接に吸収され、潜熱蓄熱材を加熱する。就寝時には、潜熱蓄熱材は袋ごと集熱ケースから出されて布団内で暖房に使われる。」日の当たる場所の確保が難しいケースや、雨の日や曇りの日には使用できない等の問題が有る。
【先行技術文献】
【特許文献】
【０００６】
【特許文献１】実用新案登録第３０８４４１５号公報
【特許文献２】実用新案登録第３１６５７２１号公報
【考案の概要】
【考案が解決しようとする課題】
【０００７】
湯たんぽは、お湯を入れなければならなく面倒であるのと共に、お湯を扱う為に危険が伴った。また、プラスチック容器のタイプは電子レンジで暖める際にはキャップの開け忘れ等の気遣いが煩わしい。また、キャップのゆるみ等による湯漏れの問題もあった。電気式の湯たんぽ、あんか、毛布等は、電気事故や、電気を纏う事に対する抵抗感、そして一定温度を保つことによる自律神経等の弱体懸念がある。
【課題を解決するための手段】
【０００８】
上記課題を解決するために、本考案の湯たんぽパックは、袋状体の容器の内部に、蓄熱材を封入し蓄熱容器とし、お風呂に浸けておき、一定時間お風呂のお湯で蓄熱したあと、例えば、就寝時に対応し布団にいれ、就寝時足などを暖めるものである。本考案の湯たんぽパックは、浴槽で暖めるため、高温でも４２℃から４３℃の温度である。このため、蓄熱容器の暖め過ぎによる事故や、使用時の低温火傷を回避する事が出来る。本考案の一態様に係る蓄熱容器は、お風呂で蓄熱容器を効率的に暖め、熱が伝わりやすくするため、蓄熱材を一様に広げ、お湯の熱を一様に吸収しやすくすると共に、温度の高い浴槽のお湯が対流や浮力で上部付近に集まる事を利用し、上部に集まった高い熱を吸収蓄熱し利用することを特徴とする。
【考案の効果】
【０００９】
低温熱傷は極端に熱源の接触時間が長いため、発赤や水疱形成だけに見えても深部に深い損傷を負っていることが多い。睡眠時は痛みに気づかないため深達性II度（DDB）まで傷を負い、さらに進行性に深くなりIII度(DB)まで達することもまれにはある。深くなる理由としては、皮膚の血流量より脂肪層の血流量が少なく、皮膚の血流で受傷した創が冷やされて軽症に見えても脂肪層では血流により冷却されないことが挙げられる。
また、低温火傷は接触部の温度が４４℃だと約６から１０時間で受傷する。
また４４ー５１℃までのあいだは接触する温度が高くなるにつれて受傷する時間が短縮される場合もある。低温熱源とは湯たんぽ、懐炉、ストーブ、ホットカーペットなどおもに暖房器具。受傷者側の要因としては、熟睡していたり体が不自由であったり、知覚麻痺、泥酔、一酸化炭素中毒、糖尿病による循環不良、などの状態にあると受傷しやすいと言われており、高齢化社会において受傷の増加が考えられる。
潜熱蓄熱は、物質の比熱を利用する顕熱蓄熱に対し、物質の相変化、転移の際に外部とやりとりされる潜熱を熱エネルギーとして蓄える技術を潜熱蓄熱と呼ぶ。代表例としては氷（水）、パラフィン、無機塩などがあり、それらの融点での融解熱、および凝固点での凝固熱を利用する。これらの材料は固−液間の相変化を伴うため、潜熱蓄熱に用いられる材料をPCM（Ｐｈａｓｅ  Ｃｈａｎｇｅ  Ｍａｔｅｒｉａｌｅｓ）と呼称している。
潜熱蓄熱材は単位容積当たり水の約５倍、コンクリートの約１0倍の蓄熱量が得られる。
このようなことから、これらの蓄熱材を封入した湯たんぽパックを使用することで、例えば、寒い夜にふとんの足下に入れれば低温火傷することなく、朝方まで暖かく安眠できる。本考案の湯たんぽパックはこれらの蓄熱材等を入れた蓄熱容器で、お風呂のお湯を有効に利用し内部の蓄熱材を暖める事ができる。
【図面の簡単な説明】
【００１０】
【図１】本考案の湯たんぽパックの第１の実施例の平面図である。
【図２】本考案の湯たんぽパックの第１の実施例の蓄熱状態を示す斜視図である。
【図３】本考案の湯たんぽの第１の実施例の使用説明の斜視図である。
【図４】本考案の湯たんぽパックの第１の実施例の変形例の平面図である。
【図５】本考案の湯たんぽパックの第２の実施例の斜静図である。
【図６】本考案の湯たんぽパックの第２の実施例の蓄熱状態を示す斜視図である。
【図７】本考案の湯たんぽパックの第３の実施例の平面図である。
【図８】本考案の湯たんぽパックの第４の実施例の斜静図である。
【考案を実施するための形態】
【００１１】
本考案の実施の形態について、以下、図に基づいて説明する。
【００１２】
図１は、本考案の湯たんぽパックの第１の実施例の平面図を示す。
湯たんぽパック１は蓄熱材２を袋状体の蓄熱容器３に封入したものを示す。詳細には、蓄熱容器３は二枚のシートの外周を溶着面１７で溶着密封し、袋状体とし、二面を対峙させる様に蓄熱材を封入し、対峙する二面の中央部付近に複数箇所（６カ所）の星マークの点状に溶着した溶着部２０を設けたものを示す。また、溶着部２０の表面に、星のマークの磁性体９を張り付けたものを示す。蓄熱材２には、例えば無機水和塩系の潜熱蓄熱材を使用し、使用適温とするためには、相変化温度にするための融点調整剤を添加したりする。無機水和塩として塩化カルシウム水和物、硫酸ナトリウム水和物、チオ硫酸ナトリウム水和物、酢酸ナトリウム水和物等がある、耐久性を高めるために過冷却防止剤、相分離防止剤等を添加した混合物をポリポロピレンの合成樹脂製の容器に充填し蓄熱容器３とする。他に塩化ビニルやポリエチレン等に充填してもよい。また、パラフィン系潜熱蓄熱材を使用する場合は、パラフィンをゴムまたは合成樹脂に練り込み、板状に成形したものをアルミラミネート被覆材で被覆した蓄熱容器３として用いる。パラフィンは可燃性が有り、このような注意が必要である。容器は、ゴムやシリコンゴムを用いてもよい。
ここでは、蓄熱容器３をそのまま、湯たんぽパック１としたものである。
潜熱蓄熱材として、他に、糖アルコール等の有機物として、エリスリトール、トリメチルエタン等がある。
ここでは、蓄熱体として潜熱蓄熱体を記載したが、蓄熱材はポリエチレン・グリコール、ポロピレン・グリコール等や、塩水、水等、熱を蓄えられるものならよい。
【００１３】
図２は、本考案の湯たんぽパック１を浴槽に入れお湯により蓄熱している状態を示す斜視図である。
浴槽８の金具８ａにＳ字金具８ｂを用い、湯たんぽパック１の吊り穴３ｂに掛けて、お湯の湯面８ｃ下に浸し、蓄熱を行っている状態を示す。湯たんぽパック１内の比重の重い（例えば比重１．４）蓄熱材２は中央付近に設けた複数箇所の星マークの点状に溶着した溶着部２０により、蓄熱容器３の下部に集中し集まり風船を膨らませた様な状態となることなく、より均一に対峙した袋材の２面に沿って蓄熱容器３内に広がり、略板状を形成し浴槽内でお湯からの熱を蓄熱し易くするものである。蓄熱材２は、膨張や、過負荷時の破裂を考え蓄熱容器３に容量一杯に入れず、緩やかに入れる。このため蓄熱材２は傾けると、どちらかに依る傾向がある。また、蓄熱した湯たんぽパックを使用時には、例えば平面上におき、布団等を暖めている状態時に、蓄熱材は板状を保ち、畜熱材の偏りを防止する。
ここでの潜熱蓄熱材２は４１℃前後で融解（例えば４１℃）し、凝固開始温度を３８℃前後（例えば３８℃）とし、例えば入浴時に浸して置き、就寝時に引き上げて使用するものである。これにより、長時間の蓄熱が可能となり、引き上げ後、外気温で３８℃となるまで下がり凝固を開始し３８℃付近で凝固熱をだしはじめる。また、蓄熱容器３には例えば浴槽から寝室に持ち運ぶ際、持ち運びやすい様に、把手３ａを設けている。さらに、浴槽などに吊り下げ易く、吊り穴３ｂが設けられていることを示す。
【００１４】
図３は、布状のカバー４に湯たんぽパック１を入れ湯たんぽとしたものを示す。カバー４は、カバー切り欠き部１１やマジックテープ（登録商標）等で構成した留め具１６を有し、湯たんぽパック１をカバー４により包み使用する例を示す。切り欠き部１０は、カバー切り欠き部１１にはまり込む構造とする事により、カバー４にセットし易いと共に、カバー４内部で移動を防止する。また、図示しないが、老人ホーム等の様に大量に使用する際に、連続してセットする保管台や蓄熱台にセット時に、この切り欠き部により縦掛ける事が出来る。さらに、図示しないがカバー内に足や手を入れて、足や手を暖めに使用しても良いものである。また、カバー４にポケットを設けてもよい。特に、ここでは、使用方法は限定しない。以後、ここまで説明した点と共通な点は省略して、異なる点を中心に説明する。
【００１５】
図４は、本考案の湯たんぽパックの第１の実施例の変形例の平面図である。
湯たんぽパック１ａは、図１と溶着部２０を点状でなく、帯状とした点が異なり、帯状とした複数の溶着部２０ａが蓄熱材をより安定的に板状に保つ。また、帯状箇所で折り曲げ易く、丸めやすくなり、丸める事によりスペースが減り収納や持ち運びに便利であると共に、腕や、腰等に巻く事も出来る。また、図示しないが、吊り穴３ｂに紐やベルトを通して固定する事も出来る。
【００１６】
図５は、本考案の湯たんぽパックの第２の実施例の平面図である。
湯たんぽパック１ｂは、蓄熱容器３に浴槽に浮かべる為の空気を入れる浮き袋部１２を周囲（外周）に設けたものを示す。浮き袋部１２は、空汽栓１３が設けられ、空汽栓１３から空気を出し入れできる。蓄熱容器３は輪状に溶着され、仕切部１８を形成し、蓄熱材２は４カ所に分離され、仕切部１８は、一部に貫通部１９を設け、蓄熱材２が貫通部１９を介し、仕切部１８間を行き来する。これにより、蓄熱材は、一気に片側に依ることが防止出来ると共に、平面上に置いたときに平面を形成しやすく、蓄熱材の偏りを防止する。また、浴槽内外で、座布団代わりにしたときにも、蓄熱材の偏りが防止できる。湯たんぽパック１ｂ、又は、蓄熱容器３を成型後に蓄熱体２を入れる蓄熱体挿入部１４があり、注入後、蓄熱体挿入部１４を溶着する。蓄熱容器３と浮き袋部１２は、一体で成形しても、後から溶着しても良い。外周に浮き袋を設けた事により湯たんぽパック１ｂを浴槽に浮かべる事により、浴槽の上部の高い温度の湯面での蓄熱を望める。特に冬場の残り湯は、対流や、暖かいお湯の浮力による浮上により上部に高温部が集まる。また、湯面に湯たんぽパック１ｂが平面状に漂うことにより、より多くの面が蓄熱材２の表面を暖める結果となる。また、中心部には湯が上面を浸すように湯が回る為の穴を設けてある。ここでは中央に１個で有るが、周囲に複数の穴をあけてもよい。周囲に設けた浮き袋部１２は、使用時に空気を抜いても良いが、空気を入れておき、例えば、布団の足下に置いた場合に、周囲の厚みが布団を持ち上げる事により、布団と湯たんぽパックの周囲に空間を作る。このため暖める空間を広める効果が得られる、さらに、足に触れた時にも柔らかな感触で湯たんぽパックの存在位置を示す効果も得られる。その上、蓄熱時に浴槽内や周辺で座布団として使用する事も可能である。冬場の浴槽内外で冷たい箇所に座る時に敷くことにより、お尻が冷やされない。
【００１７】
図６は、湯たんぽパック１ｄを浴槽に浮かべた状態を示す。浴槽の湯面に浮き袋部１２により浮かび、浮き袋より稍低く形成された蓄熱容器３の部分が湯内に浸り、蓄熱効果を高める。
【００１８】
図７は、本考案の湯たんぽパックの第３の実施例の平面図と断面図である。
蓄熱容器２を浴槽に浮かべる為の空気を入れた浮き袋部１２ａを設けた湯たんぽパック１ｃを示し、図５とは空気を入れた浮き袋部１２ａを前もって成形して取り付けてある点、及び、浮き袋部１２ａを形成する面と、蓄熱材２を封入した蓄熱容器面を対面側（背中合わせ）とした点で異なる。例えば、浮き袋部１２ａと蓄熱容器３はそれぞれに成形し、最後に背中合わせに接着し、外周を溶着面１７で溶着し形成する。浴槽に浸す際は、浮き袋を上面にする事により、下の面の蓄熱材２が湯面に触れて蓄熱される。また、上面は浮き袋のため空気による断熱効果が働き、湯の蒸発を押える働きが発生し、湯面の熱を保つ作用をする。
【００１９】
図８は、本考案の湯たんぽパックの第４の実施例の斜静図である。
蓄熱容器３を浴槽に浮かべる為の浮き材を入れた浮き袋部１２ｂを設けた湯たんぽパック１ｄを示し、図７とは、浮き材を入れた浮き袋部１２ｂとしたところが異なる。また、蓄熱材２はそれぞれを小分けしたブロック状区分けし形成したものを示す。これにより、小分けしたブロック面のそれぞれが浴槽のお湯で浸され効果的に蓄熱される。図８（ａ）では、浮き輪部１２ｂに把手３ａを設け、蓄熱容器３と別に成形された状態を示し、（ｂ）では、浮き輪部１２ｂと蓄熱容器３を溶着部１７で溶着し、湯たんぽパック１ｄとしたものを示す。
また、浮き材として発泡ウレタンや、発泡ポリエチレン等を使用し、外部をポリ塩化ビニル、ポリスチレン、ポリエチレン、ポリプロピレンのシートなどで密閉したものである。
【００２０】
図示しないが、図１から図８に説明してきた蓄熱容器内に封入した蓄熱材に、蓄熱材２に指標温度で色の変化する温度指標材料（サーモクロミズムを起こす材料）を混入し、例えば、蓄熱材の溶融温度と同じ指標温度の指標材を混入することにより内部の蓄熱材の蓄熱が完了した事を色の変化で確認する。例えば、凝固温度より少し低い指標温度の指標材を入れ、放熱が完了した事を色の変化で明示することが可能である。また、図示しないが、湯たんぽパック１ｄの表面に温度指標材料を張り付けたり、塗りつけたりしてもよい。
【００２１】
また、図示しないが、蓄熱材２に微細な発泡粒子を混入し、蓄熱材の硬化（例えば潜熱蓄熱材の凝固）を和らげると共に、浴槽に浮きやすくする。発泡粒子は、ポリウレタン、ポリエチレン発泡体や、エチレン−α−オレフィン共重合体や、ニトリル系モノマーとエポキシ基含有モノマーとの共重合体が上げられる。
【００２２】
図示しないが、蓄熱材２や蓄熱容器３に血行等を促進する効果を利用するために、磁性体や、遠赤外線放射物（機能性セラミックス、天然鉱石、チタン等）、イオン発生物質（トルマリン等）を含有したり、磁性体や、遠赤外線放射物質や、イオン発生物質を蓄熱容器３に取り付けたり、貼り付けたり、塗布してもよい。
【００２３】
本考案では布団の足下に置く湯たんぽパックを主に説明してきたが、肩や、手、足、背中等を暖める為のものでも良く、本体、カバー形状も色々の形態のものとする事が出来る。また、本体を複数個使用する事もよい。また、カバーの形状はショルダー型や、巻き付けできる形式にも出来る。さらに、人間以外の動物や、植物等の保温に使用しても良い。このような範囲は本考案の使用面での応用範囲と考えられる。
【符号の説明】
【００２４】
１・１ａ・１ｂ・１ｃ・１ｄ：湯たんぽパック、２：蓄熱材、３：蓄熱容器、３ａ：把手、３ｂ：吊り穴、４：カバー、８：浴槽、８ａ：金具、８ｂ：Ｓ字金具、８ｃ：湯面、９：磁性体、１０：切り掻き部、１１：カバー切り掻き部、１２・１２ａ・１２ｂ：浮き輪部、１３：空気栓、１４：蓄熱体挿入部、１５：穴、１６：留め具、１７：溶着面、１８：仕切部、１９：貫通部、２０・２０ａ：溶着部
【図１】
0003170844.tif 000003
【図２】
0003170844.tif 000004
【図３】
0003170844.tif 000005
【図４】
0003170844.tif 000006
【図５】
0003170844.tif 000007
【図６】
0003170844.tif 000008
【図７】
0003170844.tif 000009
【図８】
0003170844.tif 000010
【手続補正書】
【提出日】平成23年7月13日(2011.7.13)
【手続補正１】
【補正対象書類名】図面
【補正対象項目名】図１
【補正方法】変更
【補正の内容】
【図１】
0003170844.tif 000011